(57)【要約】【課題】  特別な設定をすることなくさまざまな画像に応じた好ましい色調でプリントを行うこと。【解決手段】  輝度色度変換処理３０１において、ＹＣＣ（輝度色度）８ビットデータに変換され、ステップ３０２においてＣ１とＣ２に関してヒストグラムを作成し、ステップ３０３でＣ１とＣ２のいずれもが所定値以下、すなわちグレーに近い色である画素数をカウントし、全画素数に対する比率を計算する。この比率が大きければグレーに近い色の面積が大きく、逆に比率が小さければグレーに近い色の面積が小さいということになるので、ステップ３０４でこの比率に応じてグレーの色調を決定する。グレーの色調の決め方はグレーの面積が大きいときはモノクロ銀塩写真の色調に合わせた、グレーの面積が小さいときはab平面上のbのマイナス側のＢ点にする。【選択図】  図３
2005167636.tif 000002
【特許請求の範囲】
【請求項１】
第１の色表記法によって記述された入力カラー画像データを変換手段により変換して第２の色表記法によるカラー画像データを生成して画像形成を行うカラー画像形成方法において、
判定変換手段が、前記第１の色表記法によって記述された入力画像データを変換して第３の色表記法によるカラー画像データを生成するステップと、
色判定手段が、前記入力カラー画像データ中所定の範囲の色となる画像部分の全画像に対する比率を前記判定変換手段により生成されたカラー画像データに基づいて算出し、該比率が所定の値を超えるか否かを判定するステップと、
前記比率が所定の値を超えると判定される場合、色調整手段が前記所定の色の画像部分の色調整を行ってカラー画像データを生成するステップと、
逆変換手段が、前記色調整手段によって生成されたカラー画像データを変換して第１の色表記法によるカラー画像データを生成するステップと
を備えたことを特徴とするカラー画像形成方法。
【請求項２】
第１の色表記法によって記述された入力カラー画像データを変換手段により変換して第２の色表記法によるカラー画像データを生成し、当該生成されたカラー画像データを所定の条件に基づき色調整手段により色成分の組み合わせを変更し色調整して画像形成を行うカラー画像形成方法において、
判定変換手段が、前記第１の色表記法によって記述された入力画像データを変換して第３の色表記法によるカラー画像データを生成するステップと、
色判定手段が、前記入力カラー画像データ中所定の範囲の色となる画像部分の全画像に対する比率を前記判定変換手段により生成されたカラー画像データに基づいて算出し、該比率が所定の値を超えるか否かを判定するステップと、
前記比率が所定の値を超えると判定される場合、前記色調整手段が前記所定の色の画像部分の色調整を行うステップと
を備えたことを特徴とするカラー画像形成方法。
【請求項３】
前記第１の色表記法はＲＧＢであり、前記第２の色表記法には色要素として少なくともシアン、マゼンタおよびイエローを含むことを特徴とする請求項１または２に記載のカラー画像形成方法。
【請求項４】
前記第２の色表記法には色要素としてブラックをさらに含むことを特徴とする請求項３に記載のカラー画像形成方法。
【請求項５】
前記所定の範囲の色とはＲ成分、Ｇ成分、Ｂ成分の値が所定の誤差範囲内で等しくなるグレー色であることを特徴とする請求項３または４に記載のカラー画像形成方法。
【請求項６】
前記色調整手段は、前記比率が所定の値を超えると判定される場合、ＣＩＥＬａｂ色度座標のａｂ平面上のｂ軸にそって負方向に所定の値だけずらして色調整することを特徴とする請求項５に記載のカラー画像形成方法。
【請求項７】
前記所定の範囲の色とはＢ成分とＲ成分およびＧ成分との比率が所定の値を超える青色であることを特徴とする請求項３または４に記載のカラー画像形成方法。
【請求項８】
ＲＧＢによって記述された入力カラー画像データを変換手段により変換して第２の色表記法によるカラー画像データを生成して画像形成を行うカラー画像形成方法において、
前記入力カラー画像データ中Ｒ成分、Ｇ成分、Ｂ成分の値が所定の誤差範囲内で等しくなるグレー色となる画像部分の全画像に対する比率が所定の値を超える場合、色調整手段がＣＩＥＬａｂ色度座標のａｂ平面上のｂ軸にそって負方向に所定の値だけずらして前記所定の色の画像部分の色調整を行ってカラー画像データを生成するステップ
を備えたことを特徴とするカラー画像形成方法。
【請求項９】
第１の色表記法によって記述された入力カラー画像データを変換して第２の色表記法によるカラー画像データを生成して画像形成を行う変換手段を備えたカラー画像形成装置において、
前記第１の色表記法によって記述された入力画像データを変換して第３の色表記法によるカラー画像データを生成する判定変換手段と、
前記入力カラー画像データ中所定の範囲の色となる画像部分の全画像に対する比率を前記判定変換手段により生成されたカラー画像データに基づいて算出し、該比率が所定の値を超えるか否かを判定する色判定手段と、
前記比率が所定の値を超えると判定される場合、前記所定の色の画像部分の色調整を行ってカラー画像データを生成する色調整手段と、
前記色調整手段によって生成されたカラー画像データを変換して第１の色表記法によるカラー画像データを生成する逆変換手段と
を備えたことを特徴とするカラー画像形成装置。
【請求項１０】
第１の色表記法によって記述された入力カラー画像データを変換して第２の色表記法によるカラー画像データを生成する変換手段と、当該生成されたカラー画像データを所定の条件に基づき色成分の組み合わせを変更し色調整して画像形成を行う色調整手段とを備えたカラー画像形成装置において、
前記第１の色表記法によって記述された入力画像データを変換して第３の色表記法によるカラー画像データを生成する判定変換手段と、
前記入力カラー画像データ中所定の範囲の色となる画像部分の全画像に対する比率を前記判定変換手段により生成されたカラー画像データに基づいて算出し、該比率が所定の値を超えるか否かを判定する色判定手段と
を備え、前記色調整手段は、前記比率が所定の値を超えると判定される場合、前記所定の色の画像部分の色調整を行うことを特徴とするカラー画像形成装置。
【請求項１１】
ＲＧＢによって記述された入力カラー画像データを変換して第２の色表記法によるカラー画像データを生成して画像形成を行う変換手段を備えたカラー画像形成装置において、
前記入力カラー画像データ中Ｒ成分、Ｇ成分、Ｂ成分の値が所定の誤差範囲内で等しくなるグレー色となる画像部分の全画像に対する比率が所定の値を超える場合、ＣＩＥＬａｂ色度座標のａｂ平面上のｂ軸にそって負方向に所定の値だけずらして前記所定の色の画像部分の色調整を行ってカラー画像データを生成する色調整手段
を備えたことを特徴とするカラー画像形成装置。
【発明の詳細な説明】
【技術分野】
【０００１】
本発明は、カラー画像形成方法および装置に関し、より詳細には、カラー色再現性を向上させるための色調整機能を有するカラー画像形成方法および装置に関する。
【背景技術】
【０００２】
カラー画像出力装置または画像形成装置の一例としてカラーインクジェットプリンタの場合は、その色調の品質は、その構成色要素のシアン（以下C）、マゼンタ（以下M）、イエロー（以下Y）、ブラック（以下K）の各色のインクが、印字ヘッドから所定の吐出量で安定して吐出することによって保たれる。
【０００３】
また、R=G=Bであるデータはグレースケールのデータとなるが、最近のカラーインクジェットプリンタの場合は、Kインクが装備されていても、粒状感を少なくする目的でグレースケールの薄い部分を主にC、M、Yのインクで生成するいわゆるコンポジットブラックとなっているものが多い。この場合、C、M、Yの打込みドット数をプリンタドライバソフト等で制御して、測色上なるべく無彩色、すなわちCIELab色度座標でa=b=0となるようにしてきた。
【０００４】
さらに、さまざまな要因による色合いのばらつきに対応して、CIELab色度座標のab平面上で９０°の範囲内にあるように色調を制御するという提案もある（特許文献１参照）。また、モニターに忠実もしくは記憶色をより好ましく再現するグレーになるようにCIELab色度座標のab平面上でbのマイナス方向に色調を制御するという提案もある（特許文献２参照）。
【０００５】
【特許文献１】特開２００１−１６４７５号公報
【特許文献２】特開２００３−２０９７０２号公報
【発明の開示】
【発明が解決しようとする課題】
【０００６】
しかしながら、上記のいずれの制御による場合も画像に関わらずグレーの色調は固定である。特許文献２に示されるようにモニターに忠実もしくは記憶色をより好ましく再現するためには、グレーの色調をCIELab色度座標のab平面上でbのマイナス方向に制御すべきであるが、一方銀塩モノクロ写真の色調はその多くがbの値としては原点付近もしくはプラス側というようにこれとは異なっている。従って全ての画像において制御の目標とすべきグレーの色調は必ずしも一致するとは限らないため、印字するデータにより適正な色調が実現できないという問題がある。
【０００７】
さらに、グレー以外の色についても、たとえば青色では、空や海のような記憶色を好ましく再現したい場合と衣服のようにそうでない場合があり、画像によって色調を変更することが望ましいが、これを変更する具体的機構が提案されていない。
【課題を解決するための手段】
【０００８】
このような課題を解決するために、請求項１に記載の発明は、第１の色表記法によって記述された入力カラー画像データを変換手段により変換して第２の色表記法によるカラー画像データを生成して画像形成を行うカラー画像形成方法において、判定変換手段が、第１の色表記法によって記述された入力画像データを変換して第３の色表記法によるカラー画像データを生成するステップと、色判定手段が、入力カラー画像データ中所定の範囲の色となる画像部分の全画像に対する比率を判定変換手段により生成されたカラー画像データに基づいて算出し、比率が所定の値を超えるか否かを判定するステップと、比率が所定の値を超えると判定される場合、色調整手段が所定の色の画像部分の色調整を行ってカラー画像データを生成するステップと、逆変換手段が、色調整手段によって生成されたカラー画像データを変換して第１の色表記法によるカラー画像データを生成するステップとを備えたことを特徴とする。
【０００９】
請求項２に記載の発明は、第１の色表記法によって記述された入力カラー画像データを変換手段により変換して第２の色表記法によるカラー画像データを生成し、生成されたカラー画像データを所定の条件に基づき色調整手段により色成分の組み合わせを変更し色調整して画像形成を行うカラー画像形成方法において、判定変換手段が、第１の色表記法によって記述された入力画像データを変換して第３の色表記法によるカラー画像データを生成するステップと、色判定手段が、入力カラー画像データ中所定の範囲の色となる画像部分の全画像に対する比率を判定変換手段により生成されたカラー画像データに基づいて算出し、比率が所定の値を超えるか否かを判定するステップと、比率が所定の値を超えると判定される場合、色調整手段が所定の色の画像部分の色調整を行うステップとを備えたことを特徴とする。
【００１０】
請求項３に記載の発明は、請求項１または２に記載のカラー画像形成方法において、第１の色表記法はＲＧＢであり、第２の色表記法には色要素として少なくともシアン、マゼンタおよびイエローを含むことを特徴とする。
【００１１】
請求項４に記載の発明は、請求項３に記載のカラー画像形成方法において、第２の色表記法には色要素としてブラックをさらに含むことを特徴とする。
【００１２】
請求項５に記載の発明は、請求項３または４に記載のカラー画像形成方法において、所定の範囲の色とはＲ成分、Ｇ成分、Ｂ成分の値が所定の誤差範囲内で等しくなるグレー色であることを特徴とする。
【００１３】
請求項６に記載の発明は、請求項５に記載のカラー画像形成方法において、色調整手段は、比率が所定の値を超えると判定される場合、ＣＩＥＬａｂ色度座標のａｂ平面上のｂ軸にそって負方向に所定の値だけずらして色調整することを特徴とする。
【００１４】
請求項７に記載の発明は、請求項３または４に記載のカラー画像形成方法において、所定の範囲の色とはＢ成分とＲ成分およびＧ成分との比率が所定の値を超える青色であることを特徴とする。
【００１５】
請求項８に記載の発明は、ＲＧＢによって記述された入力カラー画像データを変換手段により変換して第２の色表記法によるカラー画像データを生成して画像形成を行うカラー画像形成方法において、入力カラー画像データ中Ｒ成分、Ｇ成分、Ｂ成分の値が所定の誤差範囲内で等しくなるグレー色となる画像部分の全画像に対する比率が所定の値を超える場合、色調整手段がＣＩＥＬａｂ色度座標のａｂ平面上のｂ軸にそって負方向に所定の値だけずらして所定の色の画像部分の色調整を行ってカラー画像データを生成するステップを備えたことを特徴とする。
【００１６】
請求項９に記載の発明は、第１の色表記法によって記述された入力カラー画像データを変換して第２の色表記法によるカラー画像データを生成して画像形成を行う変換手段を備えたカラー画像形成装置において、第１の色表記法によって記述された入力画像データを変換して第３の色表記法によるカラー画像データを生成する判定変換手段と、入力カラー画像データ中所定の範囲の色となる画像部分の全画像に対する比率を判定変換手段により生成されたカラー画像データに基づいて算出し、比率が所定の値を超えるか否かを判定する色判定手段と、比率が所定の値を超えると判定される場合、所定の色の画像部分の色調整を行ってカラー画像データを生成する色調整手段と、色調整手段によって生成されたカラー画像データを変換して第１の色表記法によるカラー画像データを生成する逆変換手段とを備えたことを特徴とする。
【００１７】
請求項１０に記載の発明は、第１の色表記法によって記述された入力カラー画像データを変換して第２の色表記法によるカラー画像データを生成する変換手段と、生成されたカラー画像データを所定の条件に基づき色成分の組み合わせを変更し色調整して画像形成を行う色調整手段とを備えたカラー画像形成装置において、第１の色表記法によって記述された入力画像データを変換して第３の色表記法によるカラー画像データを生成する判定変換手段と、入力カラー画像データ中所定の範囲の色となる画像部分の全画像に対する比率を判定変換手段により生成されたカラー画像データに基づいて算出し、比率が所定の値を超えるか否かを判定する色判定手段とを備え、色調整手段は、比率が所定の値を超えると判定される場合、所定の色の画像部分の色調整を行うことを特徴とする。
【００１８】
請求項１１に記載の発明は、ＲＧＢによって記述された入力カラー画像データを変換して第２の色表記法によるカラー画像データを生成して画像形成を行う変換手段を備えたカラー画像形成装置において、入力カラー画像データ中Ｒ成分、Ｇ成分、Ｂ成分の値が所定の誤差範囲内で等しくなるグレー色となる画像部分の全画像に対する比率が所定の値を超える場合、ＣＩＥＬａｂ色度座標のａｂ平面上のｂ軸にそって負方向に所定の値だけずらして所定の色の画像部分の色調整を行ってカラー画像データを生成する色調整手段を備えたことを特徴とする。
【発明の効果】
【００１９】
本発明によれば、第１の色表記法によって記述された入力カラー画像データを変換して第２の色表記法によるカラー画像データを生成して画像形成を行う変換手段を備えたカラー画像形成装置において、第１の色表記法によって記述された入力画像データを変換して第３の色表記法によるカラー画像データを生成する判定変換手段と、入力カラー画像データ中所定の範囲の色となる画像部分の全画像に対する比率を判定変換手段により生成されたカラー画像データに基づいて算出し、比率が所定の値を超えるか否かを判定する色判定手段と、比率が所定の値を超えると判定される場合、所定の色の画像部分の色調整を行ってカラー画像データを生成する色調整手段と、色調整手段によって生成されたカラー画像データを変換して第１の色表記法によるカラー画像データを生成する逆変換手段とを備えることにより、さまざまな画像に応じた好ましい色調でプリントができる。
【発明を実施するための最良の形態】
【００２０】
以下、図面に基づいて本発明によるカラー画像出力装置を説明する。  
図１は本発明を適用した印字装置の実施形態の1例である。図１において、インクジェットプリンタ１３には複数（４個）のヘッドカートリッジ（記録部）１Ａ、１Ｂ、１Ｃ、１Ｄがキャリッジ２に交換可能なように搭載されている。なお、複数の記録部１Ａ〜１Ｄの全体または任意の一つを指す場合、単に記録部（記録ヘッドまたはヘッドカートリッジ）１で示すことにする。
【００２１】
各ヘッドカートリッジ１は、それぞれ、上部にインクタンク部を、下部に記録ヘッド部（インク吐出部）を有しており、記録ヘッドとインクタンクを一体化した構造をしている。各記録部１はキャリッジ２に位置決めして交換可能なように搭載されており、各記録部１のそれぞれには、記録ヘッド部を駆動するための信号などを受けるためのコネクター（不図示）が設けられている。一方、キャリッジ２には、上述のコネクターを通して各記録部１に駆動信号等を伝達するためのコネクターホルダー（電気接続部）が設けられている。そして、キャリジ２上の各記録部１と装置本体側の制御回路とは、信号パルス電流や温調用電流を流すためのフレキシブルケーブルで接続されている。
【００２２】
各ヘッドカートリッジは各々の上部のインクタンク部に１Ａは黒（以下Ｋ）の顔料インク、１Ｂ、１Ｃ、１Ｄはそれぞれシアン（以下Ｃ）、マゼンタ（以下Ｍ）、イエロー（以下Ｙ，シアン・マゼンタ・イエロー3色はＣＭＹ、それに黒を加えた４色はＣＭＹＫと表記する）の染料インクが収納され、各々の記録ヘッド部の印字媒体８と対向する面（図示の例では下向きの吐出口面）にはインク滴を吐出するための吐出口が所定の配列を成して形成され、各々収納されたインクを吐出するようになっている。
【００２３】
キャリッジ２は、主走査方向に延在させて装置本体に設置されたガイドシャフト３に沿って往復移動が可能なように案内支持されている。そして、キャリッジ２は、主走査モータ４により、モータプーリ５、従動プーリ６およびタイミングベルト７を介して駆動され、その位置および移動を制御される。用紙やプラスチックシート等の印字媒体８は、２組の搬送ローラ対９、１０および１１、１２の間で挟持され、これらの搬送ローラの回転により記録ヘッド１の吐出口面と対向する位置（記録部）を通して搬送（紙送り）される。  なお、印字媒体８は、記録部において平坦な記録面を形成するように、その裏面をプラテン（不図示）により支持されている。この場合、キャリッジ２に搭載された各ヘッドカートリッジ１は、それらの吐出口面がキャリッジ２から下方へ突出して上述の２組の搬送ローラ対の間で印字媒体８と平行になるように保持されている。
【００２４】
これらが一体となって構成されたインクジェットプリンタ１３は、ホストコンピュータ１４にケーブル１５を介して接続され、ホストコンピュータ１４内にインストールされたドライバーソフトにより制御される。
【００２５】
図２は本発明の画像処理システムの構成図である。図２において、ホストコンピュータ１４はＣＰＵ２０２と、メモリ２０３と、外部記憶部２０４と、入カ部２０５と、カラー出力装置１４（ここではインクジェットプリンタ）とのインタフェース２０６とを備えている。ＣＰＵ２０２は、メモリ２０３に格納されたプログラムを実行することで後述する色処理、量子化処理等の各種処理を実現する。
【００２６】
このプログラムは、外部記憶部２０４に記憶され、あるいは外部装置から供給される。ホストコンピュータ１４は、インタフェース２０６を介してカラー出力装置１３と接続されており、色処理を施した画像データをカラー出力装置１３に送信して記録を行わせる。
【００２７】
［第１実施形態］
図３は、本発明の一実施形態の画像処理システムの動作を表すフローチャートを示す図であり、入力されるＲＧＢ各色８ビット（２５６階調）画像データをＣＭＹＫ各色１ビットのドットデータとして出力する。
【００２８】
尚、図３に示す機能構成は、カラー出力装置１３を制御するホストコンピュータ１４上で動作するプリンタドライバとして実現される。
【００２９】
入力画像データとして、例えば、ＲＧＢ各色８ビットデータは、まず、輝度色度変換処理３０１において、例えば下記の公知の変換式により、ＹＣＣ（輝度色度）８ビットデータに変換される。
Ｙ  （輝度）＝ｉｎｔ（０．３０Ｒ＋０．５９Ｇ＋０．１１Ｂ）、（Ｙは整数）
Ｃ１（色度）＝Ｒ−Ｙ
Ｃ２（色度）＝Ｂ−Ｙ
【００３０】
次にステップ３０２においてＣ１とＣ２に関してヒストグラムを作成し、ステップ３０３でＣ１とＣ２の絶対値のいずれもが所定値（所定値としては１０〜２０）以下、すなわちグレーに近い色である画素数をカウントし、全画素数に対する比率を計算する。この比率が大きければグレーに近い色の面積が大きく、逆に比率が小さければグレーに近い色の面積が小さいということになるので、ステップ３０４でこの比率の大小によってグレーの色調を変更するか否かを決定する。このグレーの色調の変更のための比率の閾値としては５０〜８０％とすれば、画像のノイズの影響等も排除でき望ましい。なお、本実施形態ではＣ１、Ｃ２によりグレーを判断するが、これに限られずＲ＝Ｂ＝Ｇの条件でグレーを抽出することもできる。
【００３１】
グレーの色調の決め方を図４により説明する。図４は、グレーの面積に応じ各データの色調に合わせ色調整する場合のCIELab空間のab平面上の様子を示す図である。グレーの面積が大きいときはモノクロ銀塩写真の色調に合わせたCIELab空間のab平面上の原点付近、すなわちＡ点にし、グレーの面積が小さいときは特許文献１および２で望ましいとされるab平面上のbのマイナス側のＢ点にする。ここで、Ａ点はｂ軸の負の値を持つように図示されているが、原点の近傍であれば正やゼロの値とすることもできる。
【００３２】
ステップ３０４で決定された色調になるように画像全体のグレー軸の変換処理をステップ３０５において行う。このグレー軸の変換処理の方法はＹＣＣ空間上でＹ軸を平行移動させて行う。
【００３３】
この後に、ステップ３０６で変換式の逆変換によってＹＣＣデータをＲＧＢデータ（８ビット）に復元し、次に公知のマスキングや３次元ルックアップテーブルの手法により色補正処理（ステップ３０７）、同じく公知のＵＣＲ処理や３次元ルックアップテーブルにより色変換処理（ステップ３０８）を経てＣＭＹＫ各色８ビットデータに変換される。
【００３４】
なお、本実施形態のステップ３０４におけるグレーの色調決定においては、図４のＡ点とＢ点の２点のみを使用したが、これにとらわれることなく、画像中にグレー領域が占める面積比率に応じ、グレーの色調をＡ点とＢ点との間のいずれかの点を使用することができる。
【００３５】
カラーインクジェットプリンタ１３ではＣＭＹＫの色材が用いられるので変換処理が行われる。さらにカラーインクジェットプリンタ１３は２値プリンタであるので上記ＣＭＹＫ各色８ビットデータは、量子化処理部（ステップ３０９）で、ＣＭＹ各色１ビットデータに量子化処理される。量子化方法は、従来公知の誤差拡散法やディザ法が用いられる。
【００３６】
本実施形態では、ステップ３０５におけるグレー軸変換処理において、ＹＣＣ空間におけるＹ軸を平行移動させることにより色調整することにより、ステップ３０７から３０９の間の処理やルックアップテーブルを変更することなくグレーの色調を変更することが可能となったが、ステップ３０３でグレーの画素数をカウントした後、ステップ３０７〜３０９の処理でグレー色調を変更することもできる。
【００３７】
［第２実施形態］
第２実施形態では、第１実施形態と類似するが、グレーではなくブルーの占める面積によってブルーの色調を変更する。図５は、本発明の一実施形態の画像処理システムの動作を表すフローチャートを示す図であり、入力されるＲＧＢ各色８ビット（２５６階調）画像データをＣＭＹＫ各色１ビットのドットデータとして出力する。図３と同じ番号のステップは図３と同じ処理を示す。ブルーのデータを判断するには図３におけるステップ３０３に相当するステップ５０３においてＣ２のデータを用いて行い、このデータが所定値より大きいかどうかを判断して行う。
【００３８】
また、図３のステップ３０４に相当するステップ５０４においては図６を用いて以下に説明するようにブルーの色調決定が行われる。図６は、本実施形態にかかるブルーの面積に応じ各データの色調に合わせ色調整する場合のCIELab空間のab平面上の様子を示す図である。ブルーの面積が大きいときは、海や空の画像中の青と判断されるので記憶色を好ましく出すために彩度を高いＡ点の位置、逆にブルーの面積が小さいときは衣服等の青と判断されるので記憶色ではないとして彩度を比較的低いＢ点の位置で再現させる。このブルーの色調の変更のための面積比率の閾値としては２０〜３０％とすれば、一般的に海や空の含まれる画像とそれ以外の衣服等の画像を分別するのに適している。さらにブルーの色調の変更は、ステップ３０７における色補正処理のパラメータを変更することによって実現する。本実施形態でブルーの判定をする場合、第１実施形態と同様Ｃ１、Ｃ２を用いることもでき、Ｒ、Ｇ、Ｂを用いて、Ｂの値がＧおよびＲの値より所定値以上の場合をブルーとするようにすることもできる。
【００３９】
なお、本発明は、上記実施形態に限定されること無く、公知技術の範囲内でさまざまな応用が可能である。まずインクジェットプリンタとして、上記実施形態ではCMYK４色のインクを用いるものであったが、CMY３色、あるいはCM又はCMYに濃淡インクを装備した６色乃至７色のインクを用いても良い。また、プリンタとしてインクジェットプリンタに限らず、レーザービームプリンタ等の電子写真方式や熱転写方式のプリンタに適用しても良い。さらに、プリンタに限らず、カラー出力装置としては、CRTや液晶等のディスプレイ等にも応用可能である。
【図面の簡単な説明】
【００４０】
【図１】本発明を適用した印字装置の実施形態の1例である。
【図２】本発明の画像処理システムの構成図である。
【図３】本発明の一実施形態の画像処理システムの動作を表すフローチャートを示す図である。
【図４】グレーの面積に応じ各データの色調に合わせ色調整する場合のCIELab空間のab平面上の様子を示す図である。
【図５】本発明の他の実施形態の画像処理システムの動作を表すフローチャートを示す図である。
【図６】ブルーの面積に応じ各データの色調に合わせ色調整する場合のCIELab空間のab平面上の様子を示す図である。
【符号の説明】
【００４１】
１  ヘッドカートリッジ（記録部）
２  キャリッジ
３  ガイドシャフト
４  主走査モータ
５  モータプーリ
６  従動プーリ
７  タイミングベルト
８  印字媒体
９、１０、１１、１２  搬送ローラ対
１３カラー出力装置（インクジェットプリンタ）
１４  ホストコンピュータ
１５  ケーブル
２０２  ＣＰＵ
２０３  メモリ
２０４  外部記憶
２０５  入力部
２０６  インタフェース
【図１】
2005167636.tif 000003
【図２】
2005167636.tif 000004
【図３】
2005167636.tif 000005
【図４】
2005167636.tif 000006
【図５】
2005167636.tif 000007
【図６】
2005167636.tif 000008